(57)【特許請求の範囲】
【請求項１】
建造物の斜面に傾斜方向に沿って複数枚併設された平板状の太陽電池モジュール間にそれぞれ設けられ、斜面下側の下側太陽電池モジュールの上辺縁部と斜面上側の上側太陽電池モジュールの下辺縁部を前記斜面から支持固定する固定金具であり、
各々の前記太陽電池モジュールは、斜面の傾斜方向に対向する２辺の縁部に、外方に張り出すフランジがそれぞれ形成されており、
前記固定金具は、固定手段により斜面に固定される下側固定金具と、前記下側固定金具に締結構造により締結される上側固定金具とを含み、
前記下側固定金具は、
斜面に沿って広がる基部と、
前記基部の斜面下側に設けられ前記下側太陽電池モジュールの下面を載置する下側モジュール載置部と、
前記基部の斜面上側に設けられ前記上側固定金具を締結する締結部と、を有し、
前記上側固定金具は、
斜面に沿って広がり斜面上側に、前記締結部に締結される被締結部が形成された脚部と、
前記脚部の斜面下側から上方に向かって立ち上がる胴部と、
前記胴部の上部に設けられ前記下側太陽電池モジュールの前記フランジに係合する下向係合部及び前記上側太陽電池モジュールの前記フランジに係合する上向係合部が形成された頭部と、
前記胴部の中間部の斜面上側に設けられ前記上側太陽電池モジュールの下面を載置する上側モジュール載置部と、を有し
前記上側固定金具と前記下側固定金具は、前記被締結部と前記締結部とを締結されることにより、前記下向係合部と下側モジュール載置部との間に前記下側太陽電池モジュールの上辺縁部を狭持し、
前記上側固定金具は、前記上向係合部と前記上側モジュール載置部との間に前記上側太陽電池モジュールの下辺縁部を遊嵌させ、
前記上側固定金具の前記被締結部は、斜面に垂直な方向に上側太陽電池モジュールと重なり、
前記下向係合部と前記上向係合部は、斜面に垂直な方向に前記上向係合部が上で前記下向係合部が下となるように、且つ斜面方向に前記上向係合部が上で前記下向係合部が下となるように形成されており、これら係合部により支持された前記上側太陽電池モジュール及び前記下側太陽電池モジュールは、下側太陽電池モジュールの上辺縁部に形成されたフランジが上側太陽電池モジュールの下辺縁部に形成されたフランジに、斜面に垂直な方向において重なる
ことを特徴とする太陽電池モジュールの固定金具。
【請求項２】
建造物の斜面に傾斜方向に沿って複数枚併設された平板状の太陽電池モジュール間にそれぞれ設けられ、斜面下側の下側太陽電池モジュールの上辺縁部と斜面上側の上側太陽電池モジュールの下辺縁部を前記斜面から支持固定する固定金具であり、
各々の前記太陽電池モジュールは、斜面の傾斜方向に対向する２辺の縁部に、外方に張り出すフランジがそれぞれ形成されており、
前記固定金具は、固定手段により斜面に固定される下側固定金具と、前記下側固定金具に締結構造により締結される上側固定金具とを含み、
前記下側固定金具は、
斜面に沿って広がる基部と、
前記基部の斜面下側に設けられ前記下側太陽電池モジュールの下面を載置する下側モジュール載置部と、
前記基部の斜面上側に設けられ前記上側固定金具を締結する締結部と、を有し、
前記上側固定金具は、
斜面に沿って広がり斜面上側に、前記締結部に締結される被締結部が形成された脚部と、
前記脚部の斜面下側から上方に向かって立ち上がる胴部と、
前記胴部の上部に設けられ前記下側太陽電池モジュールの前記フランジに係合する下向係合部及び前記上側太陽電池モジュールの前記フランジに係合する上向係合部が形成された頭部と、
前記胴部の中間部の斜面上側に設けられ前記上側太陽電池モジュールの下面を載置する上側モジュール載置部と、を有し
前記上側固定金具と前記下側固定金具は、前記被締結部と前記締結部とを締結されることにより、前記下向係合部と下側モジュール載置部との間に前記下側太陽電池モジュールの上辺縁部を狭持し、
前記上側固定金具は、前記上向係合部と前記上側モジュール載置部との間に前記上側太陽電池モジュールの下辺縁部を遊嵌させ、
前記上側固定金具の前記被締結部は、斜面に垂直な方向に上側太陽電池モジュールと重なり、
前記太陽電池モジュールは、太陽電池パネルと前記太陽電池パネルを保持するフレームとを有し、
前記フレームは、前記太陽電池パネルの外縁部が挿入されて前記太陽電池パネルを保持するパネル保持部と、前記パネル保持部から前記斜面に向けて延びる延長部と、を有し、
前記フランジは、前記延長部に形成され、
前記延長部は、前記パネル保持部の外縁よりも内側となる位置に形成され、
前記延長部に対する前記パネル保持部の突出量よりも前記フランジの突出量のほうが小さくなっており、
前記上向係合部及び前記下向係合部に係合された前記フレームの前記パネル保持部同士は、互いに背面を当接している
ことを特徴とする太陽電池モジュールの固定金具。
【請求項３】
前記被締結部と前記締結部とは、前記締結部の裏面に配置されたナットに、前記被締結部及び前記締結部を貫通するボルトをねじ結合されて締結されている
ことを特徴とする請求項１または２に記載の太陽電池モジュールの固定金具。
【請求項４】
前記下向係合部と前記上向係合部により支持された前記上側太陽電池モジュール及び前記下側太陽電池モジュールは、前記上側太陽電池モジュールが一段高い段葺きとなる
ことを特徴とする請求項１に記載の太陽電池モジュールの固定金具。
【発明の詳細な説明】
【技術分野】
【０００１】
本発明は、太陽光発電の主体となる太陽電池モジュールを建造物の斜面（屋根）に複数枚併設する際に、太陽電池モジュールを建造物の斜面の固定する為の固定金具に関するものである。
【背景技術】
【０００２】
太陽光発電に用いられる太陽電池モジュールの多くは、電気的に接続した複数の太陽電池セルを、表面保護基板と裏面保護材との間に挟みこみ、表面保護基板と裏面保護材との間に接着剤層を形成して矩形平板状とし、さらに周囲にフレーム枠として表面処理したアルミ製等の枠体を装着した構成となっている。【０００３】
このような太陽電池モジュールは、建物の屋根そのものの構成材として、屋根に直接葺かれる場合もあるが、多くは屋根上に構成された専用の架台等の固定装置により敷設される。そして、このようにして敷設される太陽電池モジュールには、上記固定装置との接続を容易にするために、周囲を囲むフレーム枠に、周縁から外方に向かって張り出すフランジが設けられることが多い。【０００４】
従来の固定装置は、例えば、特許文献１に示されているように、建造物の斜面に固定される略凸型の中空レール上の架台と、太陽電池モジュールのフランジを固定するための固定部品で構成され、軒側モジュールの上辺フレームと棟側モジュールの下辺フレームとを、略凸型の架台とフランジ間で、ねじ結合構造で締め付けて、両者間でフレームを挟持とすることで太陽電池モジュールを斜面に固定する構造であった。
【先行技術文献】
【特許文献】
【０００５】
【特許文献１】特開２００１−１４４３１４号公報
【発明の概要】
【発明が解決しようとする課題】
【０００６】
しかしながら、固定金具を締め付ける際、太陽電池モジュールのフランジ間の位置で、ネジ締めしていたため、傾斜方向のモジュール間隔は少なくとも、固定金具の横幅分だけ設けられ、太陽電池モジュールの総面積を増加させる原因となっていた。【０００７】
本発明は、係る問題点を解決するためになされたものであって、その課題とするところは、太陽電池モジュールを斜面に固定するための固定金具に関して、太陽電池モジュール間の間隔を狭めることが可能で、太陽電池システムの総面積を縮小させ、搭載可能な太陽電池パネル枚数の増加に寄与することができる太陽電池モジュールの固定金具を提供することを目的とする。
【課題を解決するための手段】
【０００８】
上述した課題を解決し、目的を達成するために、本発明の太陽電池モジュールの固定金具は、建造物の斜面に傾斜方向に沿って複数枚併設された平板状の太陽電池モジュール間にそれぞれ設けられ、斜面下側の下側太陽電池モジュールの上辺縁部と斜面上側の上側太陽電池モジュールの下辺縁部を斜面から支持固定する固定金具であり、各々の太陽電池モジュールは、斜面の傾斜方向に対向する２辺の縁部に、外方に張り出すフランジがそれぞれ形成されており、固定金具は、固定手段により斜面に固定される下側固定金具と、下側固定金具に締結構造により締結される上側固定金具とを含み、下側固定金具は、斜面に沿って広がる基部と、基部の斜面下側に設けられ下側太陽電池モジュールの下面を載置する下側モジュール載置部と、基部の斜面上側に設けられ上側固定金具を締結する締結部と、を有し、上側固定金具は、斜面に沿って広がり斜面上側に、締結部に締結される被締結部が形成された脚部と、脚部の斜面下側から上方に向かって立ち上がる胴部と、胴部の上部に設けられ下側太陽電池モジュールのフランジに係合する下向係合部及び上側太陽電池モジュールのフランジに係合する上向係合部が形成された頭部と、胴部の中間部の斜面上側に設けられ上側太陽電池モジュールの下面を載置する上側モジュール載置部と、を有し上側固定金具と下側固定金具は、被締結部と締結部とを締結されることにより、下向係合部と下側モジュール載置部との間に下側太陽電池モジュールの上辺縁部を狭持し、上側固定金具は、上向係合部と上側モジュール載置部との間に上側太陽電池モジュールの下辺縁部を遊嵌させ、上側固定金具の被締結部は、斜面に垂直な方向に上側太陽電池モジュールと重なることを特徴とする。
【発明の効果】
【０００９】
本発明の太陽電池モジュールの固定金具によれば、被締結部と締結部とを締結されることにより、下向係合部と下側モジュール載置部との間に下側太陽電池モジュールの上辺縁部を狭持するので、下側太陽電池モジュールを確実に固定することができるとともに、上側固定金具の被締結部は、斜面に垂直な方向に上側太陽電池モジュールと重なる位置に存在し、従来のように、下側太陽電池モジュールと上側太陽電池モジュールとの間には存在しないので、下側太陽電池モジュールと上側太陽電池モジュールとの間の間隔を狭めることができ、さらに、被締結部と締結部とを締結することにより、下向係合部と下側モジュール載置部との間に太陽電池モジュールの上辺縁部を強く挟み込んで狭持するとともに、太陽電池モジュールの下辺縁部は、締結動作を必要とすることなく、上向係合部と上側モジュール載置部との間に遊嵌させる構造としたので、上側固定金具と下側固定金具を締結するためのボルトが、上側太陽電池モジュールと重なる位置にあるにもかかわらず、太陽電池モジュールを容易に且つ確実に敷設することができるという効果を奏する。
【図面の簡単な説明】
【００１０】
【図１】図１は、この発明にかかる固定金具を用いて建造物の屋根に設置した太陽電池モジュールの列を屋根の上方から見た模式図である。
【図２】図２は、太陽電池モジュールを組み立てる工程のなかで、太陽電池パネルの周囲にフレームを取り付ける工程を示す斜視図である。
【図３】図３は、太陽電池パネルの積層構造を示す要部の分解斜視図である。
【図４】図４は、図２のＡ−Ａ線に沿う矢視断面図であり、フレームとこのフレームに挿入される太陽電池パネル端部の様子を示す図である。
【図５】図５は、この発明にかかる固定金具の実施の形態１の一部を断面とする側面図である。
【図６】図６は、実施の形態１の固定金具の下側固定金具のみの断面図である。
【図７】図７は、実施の形態１の固定金具の上側固定金具のみの断面図である。
【図８】図８は、上側固定金具に太陽電池モジュールを嵌め込む様子を示す一部を断面とする側面図である。
【図９】図９は、この発明にかかる固定金具の実施の形態２の一部を断面とする側面図である。
【図１０】図１０は、実施の形態２の固定金具の下側固定金具のみの断面図である。
【図１１】図１１は、実施の形態２の固定金具の上側固定金具のみの断面図である。
【図１２】図１２は、この発明にかかる固定金具を用いて太陽電池モジュールが段葺きにされた様子を示す斜視図である。
【図１３】図１３は、この発明にかかる固定金具の実施の形態２の他の例を示す一部を断面とする側面図である。
【図１４】図１４は、この発明にかかる固定金具の実施の形態３の一部を断面とする側面図である。
【図１５】図１５は、実施の形態３の固定金具の下側固定金具のみの断面図である。
【図１６】図１６は、実施の形態３の固定金具の上側固定金具のみの断面図である。
【発明を実施するための形態】
【００１１】
実施の形態１．
図１は、この発明にかかる固定金具を用いて建造物の屋根に設置した太陽電池モジュールの列を屋根の上方から見た模式図である。建造物の斜面（屋根面）２００に傾斜方向（流れ方向：Ｘ方向）に沿って平板状の太陽電池モジュール１００Ａ，１００Ｂ，１００Ｃが併設されている（実際には、Ｘ方向及びＹ方向（棟の延びる方向）に多数の太陽電池モジュールが併設されているが図１では省略している）。太陽電池モジュール１００Ａ，１００Ｂ，１００Ｃは、相互間に設けられた固定金具によって斜面２００に固定されている。固定金具は、概ね斜面２００に垂直な方向（Ｚ方向）に分割された下側固定金具１０と上側固定金具２０の２部材からなる。
【００１２】
図２は、太陽電池モジュールを組み立てる工程のなかで、太陽電池パネルの周囲にフレームを取り付ける工程を示す斜視図である。図２において、太陽電池モジュール１００Ａ（１００Ｂ及び１００Ｃも同様）は、概略矩形平板状の太陽電池パネル９０と、太陽電池パネル９０の外縁部を全周にわたって囲繞して太陽電池パネル９０を固定金具などから支持する矩形枠状のフレーム８とを有している。フレーム８は、対向する２つの長辺を覆う第１フレーム８Ａ及び第３フレーム８Ｃと、対向する２つの短辺を覆う第２フレーム８Ｂ及び第４フレーム８Ｄと、必要に応じて太陽電池パネル９０の裏面側で第１フレーム８Ａ及び第３フレーム８Ｃ間に架け渡された補強フレーム８Ｇを含んで構成されている。
【００１３】
図３は、太陽電池パネルの積層構造を示す要部の分解斜視図である。図３に示されるように、太陽電池パネル９０の要部を構成する積層体は、受光面側から、ガラス等の透明材でなる透光性基板１と、透明樹脂でなる受光面側封止材（第１の樹脂層）２と、碁盤目状に並べられた複数の太陽電池セル３及びこれら複数の太陽電池セル３を直列に接続するリード線４が配線された太陽電池アレイ５と、透明樹脂でなる裏面側封止材（第２の樹脂層）６と、耐候性に優れたバックシート７とが、この順にて積層されて構成されている。なお、受光面側封止材２と裏面側封止材６は、熱処理により一体となり、太陽電池アレイ５を樹脂封止して樹脂封止層を形成する。このような構成の積層体の外周縁部が全周にわたって図示しないフレーム８（図２）で覆われて太陽電池モジュール１００Ａが作製される。
【００１４】
図４は、図２のＡ−Ａ線に沿う矢視断面図であり、第１フレーム８Ａとこの第１フレーム８Ａに挿入される太陽電池パネル９０の端部の様子を示す図である。なお、図４は、第１フレーム８Ａの断面を示すが、第３フレーム８Ｃにおいても対称形の同様な形状を成している。第１フレーム８Ａ及び第３フレーム８Ｃは、図４に示すように、太陽電池モジュール１００Ａの周縁部を覆って保護する断面コ字型のパネル保持部８Ａａと、パネル保持部８Ａａから裏面側に延びる延長部８Ａｃ及びこの延長部８Ａｃから内側に折れ曲がる内フランジ８Ａｄとで構成される補強支持部と、パネル保持部８Ａａの背面から外方に向かって張り出すフランジ８Ａｂとから構成されている。フランジ８Ａｂの先端は、後で述べる固定金具の係合部と確実に係合できるように図４中上側に曲がっている。延長部８Ａｃと内フランジ８Ａｄとで構成される補強支持部は、パネル保持部８Ａａの裏面側にフレームの全長に渡って形成されて、パネル保持部８Ａａを補強するとともに、太陽電池パネル９０を建造物の屋根等に設けられた図示しない固定金具から支持する。
【００１５】
図５は、この発明にかかる固定金具の実施の形態１の一部を断面とする側面図である。図６は、実施の形態１の固定金具の下側固定金具のみの断面図である。図７は、実施の形態１の固定金具の上側固定金具のみの断面図である。なお、図５において斜面２００は実際には傾斜しており図５中左側（軒側）が下がるような斜面となっている。上記のように、本実施の形態の固定金具は、斜面２００に垂直な方向に分割された下側固定金具１０と上側固定金具２０とからなる。
【００１６】
下側固定金具１０は、斜面２００に沿って広がる基部１１と、基部１１の斜面下側端から立ち上がり斜面２００から所定の高さにて下側（軒側）太陽電池モジュール１００Ａの下面を載置する下側モジュール載置部１２と、下側モジュール載置部１２の傾斜方向上側に設けられ、上側固定金具２０の斜面下側を保持する断面コ字形の上側固定金具載置部１３と、基部１１の斜面上側に設けられ上側固定金具２０を締結する締結部１４とを有している。下側固定金具１０は、基部１１に形成された貫通穴１１ａ，１１ｂに挿入された固定手段である木ねじ８１，８２により斜面２００（の垂木のある部分）に固定されている。なお、下側固定金具１０を斜面２００に固定する固定手段は、木ねじ８１，８２に限らず他の手段（例えば接着剤）でもよい。
【００１７】
上側固定金具２０は、概略断面Ｌ字形を成し、斜面２００に平行に広がる脚部２１と脚部２１の斜面下側から上方に向かって立ち上がる胴部２２とを有している。脚部２１においては、斜面上側に、締結部１４に締結される被締結部２５が形成されており、斜面下側には胴部２２が立設されている。胴部２２は、下側太陽電池モジュール１００Ａと上側（棟側）太陽電池モジュール１００Ｂとの間の空間を上方に延びている。
【００１８】
胴部２２上部の頭部２３には、下側太陽電池モジュール１００Ａのフランジ８Ｃｂに係合する下向係合部２３ａと、上側太陽電池モジュール１００Ｂのフランジ８Ａｂに係合する上向係合部２３ｂが形成されている。胴部２２の中間部の斜面上側の壁面に設けられ上側太陽電池モジュール１００Ｂの下面を載置する上側モジュール載置部２４が立設されている。
【００１９】
被締結部２５と締結部１４とは、締結部１４の裏面に配置されたナット８４に、被締結部２５に形成された貫通穴２５ａ（図７）及び締結部１４に形成された貫通穴１４ａ（図６）を貫通するボルト８３をねじ結合されて締結されている。基部１１からナット８４に接触するように回り止め１４ｂが立設されており、被締結部２５と締結部１４の締結の作業性を向上させている。
【００２０】
上側固定金具２０と下側固定金具１０は、被締結部２５と締結部１４とを締結することにより、下向係合部２３ａと下側モジュール載置部１２との間に下側太陽電池モジュール１００Ａを強く挟み込んで狭持する。つまり、上側固定金具２０と下側固定金具１０は下側太陽電池モジュール１００Ａの上辺縁部を狭持する。これにより、下側太陽電池モジュール１００Ａ上辺縁部は、Ｘ，Ｙ，Ｚ３方向に強固に固定される。
【００２１】
一方、上側固定金具２０は、上向係合部２３ｂと上側モジュール載置部２４との間に上側太陽電池モジュール１００Ｂの下辺縁部を遊嵌させる。つまり、若干の遊びを持って嵌め合わす。実際には図８中に点線にて示すように、上側太陽電池モジュール１００Ｂを斜め上方から近づかせ、上部に設けられた上向係合部２３ｂに、フランジ８Ａｂを係合させ、この係合した位置を支点にして、図８中白矢印のように回動させて、フレーム８Ａの下端を上側モジュール載置部２４に載置する。このような接続作業にて敷設を行うため、上側太陽電池モジュール１００Ｂの下辺縁部は、上向係合部２３ｂと上側モジュール載置部２４との間に緩く嵌り、Ｘ，Ｚ２方向の移動はほぼ規制されるがＹ方向の動きは摩擦による程度の規制となる。
【００２２】
ここで、下側太陽電池モジュール１００Ａ及び上側太陽電池モジュール１００Ｂが固定されているときの各支持部と太陽電池モジュールフレーム高さの関係は、下向係合部２３ａと下側モジュール載置部１２との間の高さをＨ１、上向係合部２３ｂと上側モジュール載置部２４との間の高さをＨ２、太陽電池モジュールのフレームの高さをＨ０とすると、対称関係は、Ｈ１＜Ｈ０＜Ｈ２の関係となる。すなわち、太陽電池モジュールは上辺端部を強固に固定され、下辺端部を緩く支持される。
【００２３】
図１にもどり、太陽電池モジュールの取り付けの手順は次のように行う。
（ア）全段の下側固定金具１０を斜面２００に木ねじ８１，８２にて固定する。
（イ）最軒側の下側固定金具１０に上側固定金具２０をボルト８３にて締結する。
（ウ）太陽電池モジュール１００Ａの下辺縁部を上側固定金具２０嵌合させて取り付ける。（ねじなどの締結構造は用いない）。
（エ）太陽電池モジュール１００Ａの上辺縁部に上側固定金具２０を組み付けた後、上側固定金具２０を、下側固定金具１０にボルト８３にて締結することにより、太陽電池モジュール１００Ａを斜面２００に固定する。
（オ）太陽電池モジュール１００Ｂの下辺縁部を上側固定金具２０に嵌合させて取り付ける。
【００２４】
このような構成の太陽電池モジュールの固定金具によれば、上側固定金具と下側固定金具を締結するためのボルトが、上側太陽電池モジュールと斜面に垂直な方向で重なる位置にある。そして、締結するためのボルトは、下側太陽電池モジュールと上側太陽電池モジュールとの間には存在しない。そのため、下側太陽電池モジュールと上側太陽電池モジュールの間の間隔を狭くすることができる。
【００２５】
さらに、被締結部２５と締結部１４とを締結する締結力により、下向係合部２３ａと下側モジュール載置部１２との間に太陽電池モジュールの上辺縁部を強く挟み込むとともに、太陽電池モジュールの下辺縁部は、締結手段を必要とすることなく、上向係合部２３ｂと上側モジュール載置部２４との間に、上側モジュール載置部２４との遊嵌させる構造としたので、上側固定金具と下側固定金具を締結するためのボルトが、上側太陽電池モジュールと重なる位置にあるにもかかわらず、太陽電池モジュールを容易に且つ確実に敷設することができる。
【００２６】
また、下側固定金具と上側固定金具とが分離可能であるため、メンテナンス時に、金具接続部(ボルト)を緩めるだけで容易に太陽電池モジュールを取り外すことができる。すなわち下側固定金具を屋根等の設置構造から外す必要がない。下側固定金具を屋根から外すためには屋根の垂木や野地板部分に打った木ネジ等を外す必要があり、再び取り付ける際に強度不足や雨漏りの原因となる恐れがある。
【００２７】
さらに、全ての太陽電池モジュールの下辺縁部に対しては、下側固定金具と上側固定金具とで太陽電池モジュールのフレームを挟み込むようにしてボルトにて締めつけるので、太陽電池モジュールの屋根構造への固定が強固なものになる。一方、太陽電池モジュールの上辺縁部に対しては、上側固定金具のフレームを嵌合させて設置するので、ねじ締め作業がなく作業性がよい。
【００２８】
実施の形態２．
図９は、この発明にかかる固定金具の実施の形態２の一部を断面とする側面図である。図１０は、実施の形態２の固定金具の下側固定金具のみの断面図である。図１１は、実施の形態２の固定金具の上側固定金具のみの断面図である。本実施の形態の上側固定金具２０Ｂにおいては、頭部２３に形成された下向係合部２３ａと上向係合部２３ｂは、斜面２００に垂直な方向に重なるように形成されており、異なる高さにされている。すなわち、頭部２３は、図９及び図１０に示すように断面が概略のＳ字形をなしており、Ｓ字形の上部の湾曲部に上側太陽電池モジュール１００Ｂのフランジ８Ａｂに係合する上向係合部２３ｂが形成され、Ｓ字形の中央の湾曲部に、下側太陽電池モジュール１００Ａのフランジ８Ｃｂに係合する下向係合部２３ａが形成されている。下向係合部２３ａと脚部２１との間、及び上側モジュール載置部２４と脚部２１との間には、ケーブルやコネクタを配置するユーティリティ空間（図９中）Ｓ１，Ｓ２が形成されている。その他の構成は実施の形態１と同様である。
【００２９】
図１２は、この発明にかかる固定金具を用いて太陽電池モジュールが段葺きに敷設された様子を示す斜視図である。本実施の形態は、固定金具が上記のような構造であるので、固定金具による固定位置において、上側太陽電池モジュール１００Ｂが一段高い段差を形成する。なお、図１２は、列を成す太陽電池モジュールの軒側先端の様子も表している。軒側先端の太陽電池モジュール１００Ａの軒を臨む辺は、全長にわたって軒先カバー８５で覆われている。
【００３０】
本実施の形態の固定金具においては、傾斜方向に併設された太陽電池モジュールが、連結する部分にて、上側太陽電池モジュールが一段高くなる。さらに多くの太陽電池モジュールが連続された場合には、段葺き状（階段状）に敷設設置され、また、軒側太陽電池パネルの棟側フレームと棟側太陽電池パネルの軒側フレームとが一部オーバーラップする構造であるため、屋根上の太陽電池パネル設置面積をさらに小さくできる(屋根上に設置できる太陽電池パネルの枚数をさらに増やすことができる)。
【００３１】
また、下向係合部２３ａと脚部２１との間、及び上側モジュール載置部２４と脚部２１との間に、ユーティリティ空間）Ｓ１，Ｓ２が形成されているが、この空間にケーブルを配線することで、ケーブルの整線作業により、経年でケーブルと屋根材との接触(擦れ)を防ぎ、ケーブルの劣化を防止できる。また、この空間にコネクタを配設することで、仮にコネクタ間で発火した場合も、コネクタ部は、金属製の固定金具に包囲されているため、延焼を防止することができる。
【００３２】
さらに、本実施の形態においては、上向係合部２３ｂ及び上側モジュール載置部２４の高さを調節することにより、太陽電池モジュールの受光面の角度を任意に変更することができる。受光面を最適な角度に変えることで、実質の日射量を増加させ、発電量向上に貢献することができる。
【００３３】
図１３は、この発明にかかる固定金具の実施の形態２の他の例を示す一部を断面とする側面図である。図１３に示す上側固定金具においては、脚部２１と上側モジュール載置部２４とが先端の連結部２８にて結合され、内部が中空構造となることで剛性が高められている。ボルト８３のねじ締め操作を行うために、この連結部２８には、貫通穴２８ａが形成されている。そして、この例においては、ボルト８３によるボルト締め付け位置と、下向係合部２３ａ（モジュール締め付け位置）との距離（図１３中Ｄ）が小さいので、下側太陽電池モジュール１００Ａの締め付け力がより大きくなる。
【００３４】
実施の形態３．
図１４は、この発明にかかる固定金具の実施の形態３の一部を断面とする側面図である。図１５は、実施の形態３の固定金具の下側固定金具のみの断面図である。図１６は、実施の形態３の固定金具の上側固定金具のみの断面図である。
【００３５】
本実施の形態の固定金具にて固定される太陽電池モジュール１００Ｅ，１００Ｆは、モジュールの縁部に設けられたフレーム８Ｅ，８Ｆにおいて、パネル保持部８Ｅａ，８Ｆａが延長部８Ｅｃ，８Ｆｃよりも外方に形成されており、フランジ８Ｅｂ，８Ｆｂは、のパネル保持部８Ｅａ，８Ｆａより、上向係合部２３ｂ及び下向係合部２３ａの突出量以上に後退した位置に形成されている。そして、下側太陽電池モジュール１００Ｅと上側太陽電池モジュール１００Ｆのパネル保持部８Ｅａ，８Ｆａは、互いに背面を当接している。  
【００３６】
このような太陽電池モジュールにおいては、パネル保持部８Ｅａ，８Ｆａは、互いに背面を当接しているので、パネル保持部８Ｅａ，８Ｆａの上壁の幅分だけ残して、その他をすべて太陽電池モジュールの受光面とすることができるので、屋根上の太陽電池パネル設置面積をさらに小さくできる(屋根上に設置できる太陽電池パネルの枚数をさらに増やすことができる)。
【産業上の利用可能性】
【００３７】
本発明の太陽電池モジュールの固定金具は、太陽電池モジュールを建造物の斜面（屋根）に複数枚併設する際にもちいられて有用なものである。
【符号の説明】
【００３８】
１  透光性基板
２  受光面側封止材
３  太陽電池セル
４  リード線
５  太陽電池アレイ
６  裏面側封止材
７  バックシート
８，８Ａ，８Ｃ，８Ｂ，８Ｄ，８Ｅ，８Ｆ  フレーム
８Ａａ，８Ｅａ，８Ｆａ  パネル保持部
８Ａｂ，８Ｃｂ，８Ｅｂ，８Ｆｂ   フランジ
８Ａｃ，８Ｅｃ，８Ｆｃ  延長部
８Ａｄ  内フランジ
８Ｇ  補強フレーム
１０  下側固定金具
１１  基部
１１ａ，１１ｂ  貫通穴
１２  下側モジュール載置部
１３  上側固定金具載置部
１４  締結部
１４ａ  貫通穴
２０，２０Ｂ  上側固定金具
２１  脚部
２２  胴部
２３  頭部
２３ａ  下向係合部
２３ｂ  上向係合部
２４  上側モジュール載置部
２５  被締結部
２５ａ  貫通穴
２８  連結部
２８ａ  貫通穴
８３  ボルト
８４  ナット
８５  軒先カバー
９０  太陽電池パネル
１００Ａ  下側太陽電池モジュール
１００Ｂ  上側太陽電池モジュール
２００  斜面（屋根）
【図１】
0005595420.tif 000002
【図２】
0005595420.tif 000003
【図３】
0005595420.tif 000004
【図４】
0005595420.tif 000005
【図５】
0005595420.tif 000006
【図６】
0005595420.tif 000007
【図７】
0005595420.tif 000008
【図８】
0005595420.tif 000009
【図９】
0005595420.tif 000010
【図１０】
0005595420.tif 000011
【図１１】
0005595420.tif 000012
【図１２】
0005595420.tif 000013
【図１３】
0005595420.tif 000014
【図１４】
0005595420.tif 000015
【図１５】
0005595420.tif 000016
【図１６】
0005595420.tif 000017